(57)【要約】【課題】２つの障子が接近した時にクレセントが破損しないようにできると共に、コスト安で、見栄えが良く、下枠を容易に清掃できる建具とする。【解決手段】枠体１に第１障子２と第２障子３を面内方向に移動自在に対向して取付け、この第１・第２障子２，３の対向した縦框２２の対向面２２ａにおける上部にストッパ５を対向してそれぞれ取付け、第１・第２障子２，３が接近した時にストッパ５同士が当接してクレセント６が破損しないようにし、前記各ストッパ５は上枠１０と対向した上枠当接部５ａを有し、この上枠当接部５ａが上枠１０に当接することで障子の下枠１１からの浮き上がりを規制して枠体１から外れないようにする。これによって、障子の上部に１つのストッパ５を取付けることで良いから、コスト安で、見栄えが良く、下枠を容易に清掃できる。【選択図】図１
2008196266.tif 000002
【特許請求の範囲】
【請求項１】
枠体に、面内方向に開閉移動する対向した２つの障子を備えた建具であって、
前記一方の障子の上部と他方の障子の上部とにストッパを、面内方向に対向し、かつ前記２つの障子が接近した時に当該ストッパ同士が当接するようにそれぞれ取付け、
前記各ストッパは、上枠と上下方向の隙間を有して対向した上枠当接部を有することを特徴とする建具。
【請求項２】
ストッパは、上面に開口した凹部を有する形状で、
２つの障子は枠体に、前記ストッパの凹部に上枠の上レールが挿入するように取付けられて凹部の底部を上枠当接部とし、前記ストッパの上部が上枠の室内側縦片よりも上方に位置している請求項１記載の建具。
【請求項３】
ストッパを上下方向に移動自在に取付け、このストッパの凹部の底部と上レールとの間の上下方向の隙間を調整可能とした請求項２記載の建具。
【請求項４】
２つの障子は、上面に開口した凹部を有し、かつ、その凹部に上枠の上レールが挿入するようにして枠体に取付けられ、前記２つの障子は持ち上げることで枠体から、外すことができるようにし、
ストッパは上面に開口した凹部を有し、かつ前記２つの障子の対向した縦框の対向面上部に、その凹部に前記上枠の上レールが挿入され、その凹部の底部を上枠当接部としてそれぞれ取付け、
前記ストッパは上下方向に移動自在で、ストッパの凹部の底部と上レールとの間の上下方向の隙間を調整可能とした請求項１記載の建具。
【請求項５】
ストッパは、上面に開口した凹部を有する取付部と、この取付部の上部における凹部の両側に設けた一対のストッパ部を備え、
前記取付部の上下方向の長孔からビスを縦框に螺合することで上下方向に移動自在に取付けられ、
前記凹部及び一対のストッパ部間に、上枠の上レールが挿入するようにした請求項４記載の建具。
【請求項６】
取付部の凹部の底部及び一対のストッパ部の先端部を緩衝機能を有するものとした請求項５記載の建具。
【発明の詳細な説明】
【技術分野】
【０００１】
本発明は、両側片引き窓、三枚建て引き違い窓、四枚建て引き違い窓などの枠体に複数の障子を面内方向に移動自在に取付けした建具に関する。
【背景技術】
【０００２】
特許文献１に両側片引き窓が開示されている。
この両側片引き窓は、枠体の面内方向中央部に固定障子を取付けて嵌め殺し窓とし、この枠体の両側に左右の障子を面内方向に移動自在にそれぞれ取付けている。
前述した両側片引き窓は、左右の障子が面外方向に同一位置で、左右一方の障子を開き方向に移動すると他方の障子に当たり、クレセントを破損することがある。
このことを防止するために、前述した両側片引き窓においては、枠体の下枠に左右のストッパ装置を取付け、左右一方の障子を開き方向に移動した時には左右他方のストッパ装置に当接して他方の障子に当たらないようにし、他方の障子を開き方向に移動した時には一方のストッパ装置に当接して一方の障子に当たらないようにしている。
【特許文献１】実公平３−３９５９２号公報
【発明の開示】
【発明が解決しようとする課題】
【０００３】
前述した従来の両側片引き窓に取付けたストッパ装置は、本体にストッパ片を起立姿勢と倒伏姿勢とに亘って回転自在に支承し、そのストッパ片を弾性材で起立姿勢に保持した構成で、左右一方のストッパ装置は、左右一方の障子が開き方向に移動する時にはストッパ片が倒伏姿勢に回転し、かつ他方の障子が開き方向に移動した時にはストッパ片に当接して一方の障子と当たらないようにする。他方のストッパ装置は、他方の障子が開き方向に移動する時にはストッパ片が倒伏姿勢に回転し、かつ一方の障子が開き方向に移動した時にはストッパ片に当接して他方の障子と当たらないようにする。
要するに、左右一方の障子は左右一方のストッパ片を越えて開き方向に移動し、左右他方の障子は他方のストッパ片を越えて開き方向に移動する。
【０００４】
前記のように、従来のストッパ装置は、本体とストッパ片と弾性材を備えた複雑形状で、コストが高い。
また、下枠に取付けた状態でストッパ装置が目立つから、見栄えが悪い。
また、下枠に溜まったゴミ等を清掃する時にストッパ装置が邪魔で、下枠を清掃しづらい。
また、左右一方の障子を左右一方のストッパ片を越えて閉じ位置と開き位置との間の中間位置とした状態で、左右他方の障子を左右他方のストッパ片を越えて開き方向に移動した時には、その左右他方の障子が、前述の中間位置の左右一方の障子に当たることがある。
【０００５】
本発明の目的は、コストが安く、見栄えが良く、下枠を清掃し易く、しかも中間位置の障子に他の障子が当たることがないようにした建具を提供することである。
【課題を解決するための手段】
【０００６】
本発明は、枠体に、面内方向に開閉移動する対向した２つの障子を備えた建具であって、
前記一方の障子の上部と他方の障子の上部とにストッパを、面内方向に対向し、かつ前記２つの障子が接近した時に当該ストッパ同士が当接するようにそれぞれ取付け、
前記各ストッパは、上枠と上下方向の隙間を有して対向した上枠当接部を有することを特徴とする建具である。
【０００７】
本発明においては、ストッパは、上面に開口した凹部を有する形状で、
２つの障子は枠体に、前記ストッパの凹部に上枠の上レールが挿入するように取付けられて凹部の底部を上枠当接部とし、前記ストッパの上部が上枠の室内側縦片よりも上方に位置しているようにできる。
このようにすれば、ストッパの凹部が上レールに沿って移動するので、そのストッパを障子の移動ガイドとすることができる。
また、室内から見た時にストッパの上部が上枠の室内側縦片で見えないので、見栄えが良い。
【０００８】
本発明においては、ストッパを上下方向に移動自在に取付け、このストッパの凹部の底部と上レールとの間の上下方向の隙間を調整可能とすることができる。
このようにすれば、ストッパを下方に移動して取付けることで、ストッパの凹部の底部と上レールとの間の上下方向の隙間を大きくできるから、障子を枠体に取付け、取り外しする際に、ストッパが邪魔にならない。
また、ストッパを上方に移動して取付けることで、前述の隙間を小さくできるので、ストッパ同士が当接した時の障子浮き上がりを小さくできる。
【０００９】
本発明においては、２つの障子は、上面に開口した凹部を有し、かつ、その凹部に上枠の上レールが挿入するようにして枠体に取付けられ、前記２つの障子は持ち上げることで枠体から、外すことができるようにし、
ストッパは上面に開口した凹部を有し、かつ前記２つの障子の対向した縦框の対向面上部に、その凹部に前記上枠の上レールが挿入され、その凹部の底部を上枠当接部としてそれぞれ取付け、
前記ストッパは上下方向に移動自在で、ストッパの凹部の底部と上レールとの間の上下方向の隙間を調整可能とすることができる。
このようにすれば、ストッパを下方に移動して取付ければ、障子を持ち上げて枠体に取付け、取り外しできる。
また、ストッパを上方に移動して取付ければ、ストッパ同士が当接した時の障子の浮き上がりを小さく規制できる。
【００１０】
本発明においては、ストッパは、上面に開口した凹部を有する取付部と、この取付部の上部における凹部の両側に設けた一対のストッパ部を備え、
前記取付部の上下方向の長孔からビスを縦框に螺合することで上下方向に移動自在に取付けられ、
前記凹部及び一対のストッパ部間に、上枠の上レールが挿入するようにできる。
このようにすれば、一方のストッパ部が上レールで見えづらくなるし、取付部は縦框の対向面から大きく張り出すことがないので目立つことがなく、見栄えが良い。
【００１１】
本発明においては、取付部の凹部の底部及び一対のストッパ部の先端部を緩衝機能を有することができる。
このようにすれば、ストッパのストッパ部同士が当接した時の衝撃が低減すると共に、上枠の上レールの損傷を防止できる。
【発明の効果】
【００１２】
本発明によれば、２つの障子が接近した時にストッパ同士が当接するので、クレセント等が破損することがない。
また、障子の上部にストッパを取付けただけであるからコストが安く、見栄えが良いと共に、下枠を清掃し易い。
また、２つの障子が面内方向の任意の位置で接近した時にストッパ同士が当接するので、中間位置の障子に他の障子が当たることがない。
しかも、一方の障子を移動してストッパ同士が当接した時に、その移動した障子が下枠から浮き上がるが、ストッパの上枠当接部が上枠に当接することで、その障子の浮き上がりを規制するから、障子が大きな角度で斜めとなって枠体から外れることがない。
【発明を実施するための最良の形態】
【００１３】
図１と図２に示すように、枠体１に第１障子２と第２障子３が面内方向に移動自在に取付けてある。
前記枠体１は上枠１０と下枠１１と左右の縦枠１２を方形状に連結してある。
この第１障子２と第２障子３は面外方向（室内外側方向）に同一位置で、本発明における面内方向に開閉移動する対向した２つの障子である。
この実施の形態では、枠体１の面内方向中央部における室外側寄りに固定障子４が取付けてあり、前記第１・第２障子２，３は枠体１の室内側寄りに取付けられ、内動の両側片引き窓としてある。
これに限ることはなく、前記固定障子４を面内方向に移動自在とした三枚建て引き違い窓、四枚建て引き違い窓などでも良い。要するに、面内方向に開閉移動する対向した２つの障子を備えた建具であれば良い。
【００１４】
前記第１障子２、第２障子３は、上框２０と下框２１と一方の縦框２２と他方の縦框２３を方形状に連結し、その内部にガラス２４を装着してある。
前記第１・第２障子２，３は、その上框２０、下框２１が上枠１０、下枠１１の長手方向に沿ってスライド自在に支承される。前記一方の縦框２２が面内方向に対向する。
前記固定障子４は、上框２０と下框２１と一方の縦框２２と他方の縦框２３を方形状に連結し、その内部にガラス２４が装着してある。
この固定障子４は、その上框２０、下框２１が上枠１０、下枠１１に固定される。なお、上框２０、下框２１を上枠１０、下枠１１が兼用するようにしても良い。
【００１５】
前記第１障子２の上部と第２障子３の上部とにストッパ５が、面内方向に相対向し、第１・第２障子２，３が接近した時にストッパ５同士が当接するようにそれぞれ取付けてある。
例えば、第１・第２障子２，３の一方の縦框２２（対向した縦框）の面内方向の外側面２２ａ（対向面）における上部にストッパ５をそれぞれ取付ける。
そして、第１障子２又は第２障子３を図示の閉じ位置から矢印で示すように第２障子３又は第１障子２に向けて開き方向に移動した時に、そのストッパ５同士が当接するようにしてある。
これによって、第１障子２と第２障子３が接近した時にストッパ５同士が当接し、クレセント６が破損することがない。
【００１６】
また、ストッパ５は単純形状でコスト安とすることができる。
また、第１・第２障子２，３の上部にストッパ５を取付けたので、そのストッパ５が目立つことがないし、下枠１１に部品を取付けていないから、見栄えが良く、下枠を清掃し易い。
また、第１・第２障子２，３が任意の位置で接近した時にストッパ５同士が当接するので、第１障子２又は第２障子３が閉じ位置と開き位置との間の中間位置の時に、第２障子３又は第１障子２を開き方向に移動してもストッパ５同士が当接するので、中間位置の障子に他の障子が当たることがない。
【００１７】
前述のように、一方の障子を開き方向に移動してストッパ５同士が当接した時に、その移動していた一方の障子の上部は開き方向に移動できなくなるが、その一方の障子の下部は開き方向に移動し続けようとするので、その障子が斜めの姿勢となることがある。
例えば、第２障子３を移動してストッパ５同士が勢いよく当接した時に、図１に二点鎖線で示すように第２障子３の一方の縦框２２側（ストッパ５を取付けた側）が下枠１１から浮き上がり、斜めの姿勢となることがある。
前述のように、移動した障子が下枠１１から大きく浮き上がり、大きな角度で斜めの姿勢となると、その障子が枠体１から外れる恐れがある。
【００１８】
このことを防止するには、第１・第２障子２，３の下部にもストッパを取付け、下部に取付けたストッパ同士が当接することで障子が斜めの姿勢とならないようにすることが考えられる。
しかし、このようにすると第１・第２障子２，３の下部に取付けたストッパが目立ち、見栄えが悪くなると共に、４つのストッパを取付けることになるので、コスト高となる。
【００１９】
そこで、本発明においては、前記ストッパ５を、上枠１０と上下方向の隙間を有して対向した上枠当接部５ａを有した形状とし、その上枠当接部５ａが上枠１０に当接することで障子の浮き上がりを規制し、障子が大きな角度で斜めの姿勢とならないようにしてある。
このようにすることで、ストッパ５同士が当接した時に移動した障子が枠体から外れることがないと共に、見栄えを良くできるし、コスト安とすることができる。
【００２０】
次に、各部の詳細を説明する。
前記上枠１０は図３に示すように、下面１０ａよりも垂下した室内側縦片１３を有すると共に、その室内側縦片１３よりも室外側寄りに障子上部をガイドする上レール１４が設けてある。
前記下枠１１は障子下部をガイドする下レール１５を有している。
【００２１】
前記ストッパ５は、その上部に上面５ｂに開口した凹部３０を有し、この凹部３０に上レール１４が挿入するように一方の縦框２２の外側面２２ａに取付けてある。
前記第２障子３が上方に移動するとストッパ５の凹部３０の底部が上レール１４に当接し、前述した第２障子３の浮き上がりを規制する。
つまり、前記凹部３０の底部が前述の上枠当接部５ａである。
前記ストッパ５の上部は室内側縦片１３よりも上方に突出している。
【００２２】
このようにすれば、第２障子３はストッパ５の凹部３０をガイドとして上枠１０の上レール１４に沿って開閉するので、そのストッパ５を障子の移動ガイドとして利用することができる。
また、室内から見た際にストッパ５の上部が上枠１０の室内側縦片１３で見えなくなり、ストッパ５がより一層目立たなくなるので、見栄えが良い。
【００２３】
前述のようにした場合に、凹部３０の底部と上レール１４との間の上下方向の隙間が小さければ、第２障子３の浮き上がりを小さく規制することができるので、第２障子３が外れることを確実に防止できる。
しかし、前述の上下方向の隙間が小さいと、第２障子３の持ち上げストロークが短く、第２障子３を持ち上げて枠体１に取付け、取り外しする時にストッパ５が邪魔になってしまう。
【００２４】
そこで、本発明は、ストッパ５を上下方向に移動可能に取付け、第２障子３を枠体１に取付け、取り外しする時にはストッパ５を下方位置として前述の隙間を大きくし、第２障子３の持ち上げストロークを、第２障子３を取付け、取り外しできるように大きくする。通常時にはストッパ５を上方位置として前述の隙間を小さくし、第２障子３の浮き上がりを小さく規制して第２障子３が大きな角度で斜めの姿勢とならないようにする。
【００２５】
例えば、ストッパ５に形成した上下方向の長孔３１を挿通してビス３２を一方の縦框２２の中空部２２ｂに設けた裏板２５に螺合することでストッパ５を取付けてある。
【００２６】
この実施の形態においては、前記第２障子３の上部には、図３、図４、図５に示すように、上面３ａに開口した凹部２６を有している。
例えば、一方の縦框２２の中空部２２ｂに取付けた上部摺動片２７の凹部２７ａと、一方の縦框２２の切欠部２２ｃと、上框２０の上向き凹部２０ａとで障子面内方向に連続した凹部２６としてある。
前記第２障子３は、下部（例えば、戸車）が下レール１５で支承されると共に、凹部２６に上レール１４が挿入されるように枠体１に取付けてあり、その第２障子２を持ち上げることで障子下部と下レール１５が離れて取り外すことができるようにしてある。
要するに、第２障子３は枠体１に上下けんどん式に取付けてある。
なお、第１障子２も同様に枠体１に取付けてある。
【００２７】
前述のように、第２障子３を上下けんどん式に取付けた場合には、前記ストッパ５の凹部３０の底部が上レール１４に干渉して持ち上げストロークが短くなるが、前述のようにストッパ５を上下方向に移動自在に取付けてあるから、第２障子３を取付け、取り外しする時にはストッパ５を下方に移動して取付け、通常時には上方に移動して取付ければ良い。
【００２８】
前記ストッパ５は図６、図７に示すように取付部３３と、この取付部３３の上部に設けた一対のストッパ部３４，３４を備えている。
前記取付部３３の上部は、上面に開口して切欠きされて前述の凹部３０としてあり、この取付部３３における凹部３０の底部が前述の上枠当接部５ａである。前記一対のストッパ部３４，３４は取付部３３の上部における凹部３０の両側に設けてある。
前記一対のストッパ部３４，３４は取付部３３の表面よりも突出してストッパ５を正面から見た時に略鉤形状となるようにしてある。
前記取付部３３の下部に前述の長孔３１が形成されていると共に、この長孔３１を形成した部分にカバー３５を取付けて長孔３１、ビス３２が見えないようにしてある。
【００２９】
このようであるから、ストッパ５を一方の縦框２２に取付けた状態で、一対のストッパ部３４，３４が上レール１４の面外方向両側に位置しているから、室内から見た時に面外方向他側（室外側）に位置するストッパ部３４は一部分が見えるだけで目立つことがなく、取付部３３は一方の縦框２２の外側面２２ａから僅かに張り出す程度で目立つことがないと共に、ビス３２、長孔３１が見えないので、見栄えが良い。
【００３０】
前記取付部３３の上部寄りに透孔３６が表面と裏面に貫通して形成され、図４に示すように一方の縦框２２と上框２０を連結するビス２８を、ストッパ５を下方位置とした時に、その透孔３６を通して上框２０に螺合できるようにしてある。
このようであるから、一方の縦框２２にストッパ５を取付けした状態で、その縦框２２と上框２０を連結することができる。
したがって、障子を組み立てせずに各框を分離した状態で輸送（工場出荷）し、取付け現場等で組み立てる場合に、一方の縦框２２にストッパ５を取付けた状態で輸送できるから、そのストッパ５を紛失したりすることがない。
【００３１】
前記取付部３３の裏面における上部には凹陥部３７が形成され、この凹陥部３７を、上部摺動片２７における一方の縦框２２の外側面２２ａから突出した突出部２７ｂに嵌合して取付けるようにしてある。
このようであるから、ストッパ５は凹陥部３７と突出部２７ｂの嵌合部分で回転しないように支持されるので、そのストッパ５を１本のビス３２で取付ける場合に、そのビス３２の回転によってストッパ５が回転することがなく、１本のビス３２でストッパ５を簡単に取付けできる。
【００３２】
前記ストッパ５の凹部３０の底部（上枠当接部５ａ）、一対のストッパ部３４における当接する先端部は緩衝機能を有するようにしてある。
例えば、緩衝部材３８がそれぞれ設けてある。
具体的には、取付部３３と一対のストッパ部３４をポリアミド樹脂とし、その表面にＥＰＤＭ発泡樹脂の緩衝部材３８が取付けてある。
なお、上枠当接部５ａ、ストッパ部３４の表面を、薄いヒレを複数有する形状とし、そのヒレを緩衝部材とすることも可能である。
このようにすれば、ストッパ５同士が当接した時のショックを低減できるし、上レール１４が損傷することを防止できる。
【００３３】
前記第１障子２に取付けたストッパ５も前述と同様である。
なお、図１、図２は本発明の理解を容易とするために概略的に図示してあり、図３以降に示すものとは寸法、形状等が相違する。
また、第１・第２障子２，３の取付けは前述した上下けんどん式に限ることはなく、任意の取付け方で取付けても良い。
【図面の簡単な説明】
【００３４】
【図１】本発明の実施の形態を示す全体概略内観図である。
【図２】図１の横断面図である。
【図３】図１のＡ−Ａ拡大詳細断面図である。
【図４】図３のＢ−Ｂ視正面図である。
【図５】図４の平面図である。
【図６】ストッパの表側視斜視図である。
【図７】ストッパの裏側視斜視図である。
【符号の説明】
【００３５】
１…枠体、２…第１障子（一方の障子）、３…第２障子（他方の障子）、５…ストッパ、５ａ…上枠当接部、６…クレセント、１０…上枠、１１…下枠、１３…室内側縦片、１４…上レール、１５…下レール、２２…一方の縦框（対向した縦框）、２６…凹部、３０…凹部、３３…取付部、３４…ストッパ部、３８…緩衝部材。
【図１】
2008196266.tif 000003
【図２】
2008196266.tif 000004
【図３】
2008196266.tif 000005
【図４】
2008196266.tif 000006
【図５】
2008196266.tif 000007
【図６】
2008196266.tif 000008
【図７】
2008196266.tif 000009